(57)【特許請求の範囲】
【請求項１】
リール本体に回転可能に支持したスプールを、当該リール本体の一方の側板に装着したハンドルの操作で巻取り駆動すると共に、リール本体の上部に、釣り情報を表示する表示器と複数のファンクションスイッチを配設した魚釣用リールに於て、
上記スプールの回転状態を検出する検出手段を備え、
当該検出手段によるスプールの回転検出時に、上記ファンクションスイッチの作動を不能としたことを特徴とする魚釣用リール。
【発明の詳細な説明】
【０００１】
【発明の属する技術分野】
本発明は、魚釣用リールに係り、詳しくはリール本体の上部に複数のファンクションスイッチを配設した魚釣用リールに関する。
【０００２】
【従来の技術】
従来、多くの魚釣用リールには、棚取り精度の向上を図る目的で糸長計測装置が装着され、また、釣糸の巻取り操作を軽快に行うためにスプールモータを装着して、当該スプールモータの駆動で釣糸をスプールに自動的に巻き取る等、釣人のニーズに対応すべく、魚釣用リールの機能及び操作性の向上を図るために電子化が進んでいるのが現状である。
【０００３】
そして、一般に糸長計測装置やスプールモータを制御するスイッチを初めとして、例えば棚メモスイッチ，リセットスイッチ，モード切換えスイッチといった各種のファンクションスイッチは、リール本体の上部に設けられた操作パネル上に配設されている。
図３は実開平１−９４０６５号公報で開示された魚釣用リールの操作パネル部を示し、この従来例は、魚釣用リール１を握持した手の親指３による各種ファンクションスイッチの操作性を向上させるため、リール本体４の反ハンドル側の側板５上に操作パネル７を設けて、魚釣用リール１を握持している手の親指３の移動軌跡上にスプールモータのオートスイッチ９とマニュアルスイッチ１１を振り分け配置すると共に、表示器１３前方の操作パネル７上に、リセットスイッチ１５や棚メモスイッチ１７，アラームスイッチ１９，クリヤースイッチ２１等を並設したもので、隣接する各スイッチ１５，１７，１９，２１間には、誤操作防止用の突部２３が設けられている。
【０００４】
而して、上記従来例によれば、魚釣用リール１を握持している手の親指３の移動範囲にオートスイッチ９とマニュアルスイッチ１１が配置されているため、魚釣用リール１を握持した状態でスプールモータの駆動状態を迅速に切換操作できることとなる。
【０００５】
【発明が解決しようとする課題】
しかし乍ら、表示器１３前方の操作パネル７上に配設された各種のスイッチ１５，１７，１９，２１を操作するには、反ハンドル側から魚釣用リール１を握持している手を前方に大きく移動させたり持ち替えなければならず、実釣時の状況に応じてこれらのスイッチ操作を迅速且つ容易に行えない欠点があった。
【０００６】
而も、表示器１３を挟んで前後に複数のスイッチ９，１１，１５，１７，１９，２１を配設した構造上、状況に応じたスイッチ操作とスプール２５のサミングの複合操作が容易に行えない等の不具合が指摘されていた。
【０００７】
更にまた、上記従来例によれば、各スイッチ１５，１７，１９，２１間に突部２３が設けられているため、隣接するスイッチ相互間の誤操作はある程度防止できるものの、実釣時に魚釣用リール１を握持している手が例えば海水で滑ってスイッチ１５，１７，１９，２１を誤って押してしまうことがあり、この結果、不用意なトラブルが発生してしまう虞もあった。
【０００８】
本発明は斯かる実情に鑑み案出されたもので、不要なファンクションスイッチの誤操作や誤作動を防止した魚釣用リールを提供することを目的とする。
【０００９】
【課題を解決するための手段】
斯かる目的を達成するため、請求項１に係る発明は、リール本体に回転可能に支持したスプールを、当該リール本体の一方の側板に装着したハンドルの操作で巻取り駆動すると共に、リール本体の上部に、釣り情報を表示する表示器と複数のファンクションスイッチを配設した魚釣用リールに於て、上記スプールの回転状態を検出する検出手段を備え、当該検出手段によるスプールの回転検出時に、上記ファンクションスイッチの作動を不能としたことを特徴とする。
【００１１】
（作用）
請求項１に係る発明によれば、スプールの回転を検出手段が検出すると、ファンクションスイッチの作動が不能となって、ファンクションスイッチの誤作動が防止されることとなる。
【００１３】
【発明の実施の形態】
以下、本発明の実施形態を図面に基づき詳細に説明する。
【００１４】
図１及び図２は請求項１の一実施形態に係る魚釣用リールを示し、図に於て、３１はリール本体３３のフレーム、３５，３７は当該フレーム３１の左右に取り付く側板で、両側板３５，３７間にスプール軸を介してスプール３９が回転可能に支持されている。そして、スプール３９には、図示しないスプールモータの駆動や側板３７側に装着したハンドル４１の巻取り操作で釣糸が巻回されるようになっており、スプールモータはスプール３９前方のフレーム３１に一体成形されたモータケース内に収納されている。
【００１５】
そして、図２に示すように側板３７の上部前方には、実開平５−７６２７３号公報で開示された魚釣用リールと同様、スプールモータのモータ出力を調節するパワーレバー４３がハンドル４１の回転方向と同方向へ回転操作可能に取り付けられており、当該パワーレバー４３の操作で、制御ボックス４５内に装着したマイクロコンピュータがモータ出力をモータ停止状態から最大値（０〜１００％）まで連続的に増減して、スプール３９の回転速度をコントロールするようになっている。
【００１６】
また、スプール３９の一側面にはマグネット４７が装着されると共に、当該マグネット４７に対向して一対のリードスイッチ４９がフレーム３１に装着されており、リードスイッチ４９は制御ボックス４５内のマイクロコンピュータに接続されている。
而して、マイクロコンピュータには、特開平５−１０３５６７号公報で開示された糸長計測装置と同様の計測装置が組み込まれており、リードスイッチ４９から出力されるスプール３９の正転，逆転の判定信号をＣＰＵに取り込んで釣糸の繰出しか巻取りかを判定すると共に、リードスイッチ４９から取り込むスプール３９の回転パルス信号をアップ・ダウンカウンタでカウントして、この計数値を基にＲＯＭに記憶された糸長計算式をＣＰＵで演算実行するようになっている。
【００１７】
そして、その演算結果が、釣糸の繰出し糸長として制御ボックス４５上の操作パネル５１に設けた表示器５３に表示されるようになっている。
また、図１に示すように操作パネル５１の後端側には、反ハンドル側、即ち、側板３５側からリール本体３３を握持した状態にある手５５の親指５５ａが移動可能な軌跡に沿って、スプール３９方向へなだらかな曲率で傾斜する傾斜面５７が側板３７寄りに形成されている。そして、当該傾斜面５７の側板３７側下端部に、当該側板３７内に装着したクラッチ機構のクラッチ切換スイッチ５９が取り付けられており、当該クラッチ切換スイッチ５９の切換操作で、スプール軸へのスプールモータやハンドル４１の駆動力が伝達，遮断されるようになっている。
【００１８】
そして、図１に示すように上記傾斜面５７には、上記クラッチ切換スイッチ５９に加え、３つのファンクションスイッチとしてリセットスイッチ６１，タイマースイッチ６３，棚メモスイッチ６５が、夫々、所定の間隔を開けて並設されている。
棚メモスイッチ６５は、釣人が棚位置を設定する際に使用するもので、表示器５３に表示された糸長計測装置の計測値を見て釣人が当該棚メモスイッチ６５を操作すると、操作時の表示値が棚位置として設定されて表示器５３にその旨が表示されるようになっている。
【００１９】
また、上記タイマースイッチ６３のＯＮ／ＯＦＦ操作で、マイクロコンピュータに内蔵されたタイマーがＯＮ／ＯＦＦしてその計測値が表示器５３に表示され、更にまた、リセットスイッチ６１の操作で、マイクロコンピュータは表示器５３に表示された糸長計測値や棚位置，タイマー計測値の表示値が「０」に戻るようになっている。
【００２０】
このように本実施形態に係る魚釣用リール６７は、クラッチ切換スイッチ５９と共に、リセットスイッチ６１，タイマースイッチ６３，棚メモスイッチ６５を上述した傾斜面５７に配設して、 図１の二点鎖線で示すように反ハンドル側からリール本体３３を手５５で握持し乍ら、単に親指５５ａを移動させるだけでこれらのスイッチ５９，６１，６３，６５が簡単に操作できるようになっている。
そして、本実施形態は、スプール３９の回転状態を検出する前記リードスイッチ４９の検出信号とタイマーを利用して、例えばスプール３９が単位時間当たり繰出し方向や巻取り方向へ所定数回転しているとマイクロコンピュータが判断しているときには、クラッチ切換スイッチ５９やリセットスイッチ６１，タイマースイッチ６３，棚メモスイッチ６５等が操作されても、それらの作動を不能とするようにマイクロコンピュータがプログラムされていることを特徴とする。
【００２１】
本実施形態はこのように構成されているから、魚釣用リール６７をロッドに装着して、釣人がロッドと共にこれを図１の二点鎖線で示すように反ハンドル側から握持，保持すると、その親指５５ａの移動軌跡上にクラッチ切換スイッチ５９，リセットスイッチ６１，タイマースイッチ６３及び棚メモスイッチ６５が位置することとなる。
【００２２】
従って、斯様に魚釣用リール６７を一方の手５５で握持し乍らその親指５５ａを動かしてクラッチ切換スイッチ５９をクラッチＯＦＦに操作すれば、スプール３９がスプールフリー状態となって釣糸がスプール３９から繰り出されることとなる。
そして、釣糸の繰出しに伴い、糸長計測装置により釣糸の繰出し量が計測されてその計測値が表示器５３に表示されるので、棚位置が設定されていない場合、スプール３９が単位時間当たり繰出し方向や巻取り方向へ所定数回転していないときに、釣人が魚釣用リール６７を手５５で握持し乍ら親指５５ａを動かして棚メモスイッチ６５を操作すれば、操作時の表示値が棚位置として設定されて表示器５３に棚位置が表示されるし、スプール３９が所定数回転していないときにタイマースイッチ６３をＯＮ／ＯＦＦ操作すれば、タイマーがＯＮ／ＯＦＦして計測値が表示器５３に表示されるので、例えばこませ釣りをする際にこませタイマーとして機能させることができる。
【００２３】
また、同様にスプール３９が所定数回転していないときにリセットスイッチ６１を操作すれば、糸長計測値や棚位置，タイマー計測値の表示値が「０」にリセットされることとなる。
このように本実施形態は、クラッチ切換スイッチ５９，リセットスイッチ６１，タイマースイッチ６３，棚メモスイッチ６５等のファンクションスイッチを、図１の二点鎖線で示すように反ハンドル側からリール本体３３を握持した状態にある手５５の親指５５ａの移動軌跡上に並設して、リール本体３３を一方の手５５で握持し乍ら、単にその親指５５ａを移動させるだけで各スイッチ５９，６１，６３，６５を簡単に操作できるようにしたので、図３に示す従来例の如く魚釣用リール６７を握持している手５５を前方に大きく移動させたり持ち替える必要がなくなり、親指５５ａの自然な移動操作で容易且つ迅速にスイッチ操作が可能となると共に、状況に応じたこれらのスイッチ操作とスプール３９のサミング等の複合操作が容易に行えることとなった。
そして、実釣時に於て、スプール３９が回転しているときに誤って各スイッチ５９，６１，６３，６５に手を触れても、それらの作動が不能となるようにプログラムされているため、これら各スイッチ６１，６３，６５の誤作動を防止することが可能となった。
【００３０】
尚、上記実施形態では、ファンクションスイッチとしてクラッチ切換スイッチ５９やリセットスイッチ６１，タイマースイッチ６３，棚メモスイッチ６５等を例示したが、これらに代え、またはこれらと共に他のファンクションスイッチを上記傾斜面５７に配設してもよいことは勿論であり、また、本発明は電動リールに限らず手動の魚釣用リールにも適用することが可能である。
【００３１】
【発明の効果】
以上述べたように、請求項１に係る発明によれば、実釣時に於て、咄嗟の状況に於けるファンクションスイッチの誤作動を確実に防止することが可能となる。
【００３２】
そして、請求項２に係る発明によれば、反ハンドル側から魚釣用リールを握持している手が海水で滑ってしまったような咄嗟の状況下に於て、親指による各ファンクションスイッチの誤操作を防止することが可能である。
また、請求項３に係る発明によれば、実釣時に於て、咄嗟の状況に於けるファンクションスイッチの誤作動を確実に防止することが可能となる。
【図面の簡単な説明】
【図１】請求項１の一実施形態に係る魚釣用リールの平面図である。
【図２】図１に示す魚釣用リールの側面図である。
【図３】従来の魚釣用リールの操作パネル部の平面図である。
【符号の説明】
３３  リール本体
３９  スプール
４１  ハンドル
４３  パワーレバー
５１  操作パネル
５３  表示器
５５  手
５５ａ  親指
５７  傾斜面
５９  クラッチ切換スイッチ
６１  リセットスイッチ
６３  タイマースイッチ
６５  棚メモスイッチ
６７  魚釣用リール
【図１】
0003588279.tif 000002
【図２】
0003588279.tif 000003
【図３】
0003588279.tif 000004